(57)【要約】      （修正有）【課題】棺を保管するためのスペースを小さくすることが可能な金具類及び金釘無し組立式棺を提供する。【解決手段】全ての構成要素が可燃性素材で形成されている金具類及び金釘無し組立式棺１００は、底板１０と、側板支持部材１１ａ、１１ｂと、側板部２０ａ、２０ｂと、妻板部と、蓋板４０とを備える。側板部２０ａ、２０ｂは、プラスチック蝶番５０ａ、５０ｂを介して、側板支持部材１１ａ、１１ｂに対して固定されており、プラスチック蝶番５０ａ、５０ｂにより内側に向かって折り畳み可能に構成されている。妻板部は、側板部２０ａ、２０ｂに着脱可能に係合している。蓋板４０は、側板部２０ａ、２０ｂ及び妻板部の上に配置されている。【選択図】図３
0003235376.tif 000002
【実用新案登録請求の範囲】
【請求項１】
全ての構成要素が可燃性素材で形成されている金具類及び金釘無し組立式棺であって、
底板と、
前記底板の縁部分の一部に配置された一対の側板支持部材と、
蝶番を介して前記一対の側板支持部材のそれぞれに固定された一対の側板部であって、当該蝶番により前記一対の側板部の各々が内側に向かって折り畳み可能に構成された一対の側板部と、
平面視で前記側板部に直交して配置されている一対の妻板部であって、前記一対の側板部の内側面に着脱可能に係合する一対の妻板部と、
前記一対の側板部及び前記一対の妻板部の上に配置される蓋板と、を備え、
前記蝶番は、プラスチック材料からなる、金具類及び金釘無し組立式棺。
【請求項２】
前記側板部は、
桟木と、
前記桟木を両側から挟む２つの板部材と、
前記２つの板部材うちの内側の板部材の面又は前記桟木に固定された側板補強部材と、を含み、
前記蝶番は、
前記側板支持部材に固定された第１羽根と、
前記側板補強部材に固定された第２羽根と、
前記第１羽根と前記第２羽根との接続部であって、前記第１羽根に対して前記第２羽根を回動させる接続部と、を含む、請求項１に記載の金具類及び金釘無し組立式棺。
【請求項３】
前記側板部は、さらに、
前記一対の妻板部のいずれか一方に対向する位置に配置されたレール部材と、
前記レール部材が固定された角材と、を含み、
前記一対の妻板部のいずれか一方は、前記レール部材に沿った溝部であって、当該レール部材に嵌る溝部を含む、請求項２に記載の金具類及び金釘無し組立式棺。
【請求項４】
前記レール部材のうちの前記溝部側の部分の幅は、前記レール部材のうちの根元部分の幅よりも大きく、
前記溝部のうちの底部分の幅は、前記溝部のうちの前記レール部材側の部分の幅よりも大きい、請求項３に記載の金具類及び金釘無し組立式棺。
【請求項５】
前記底板の縁部分のうちの前記一対の妻板部のいずれかに対向する位置に配置された妻板支持部材を、さらに備え、
前記妻板支持部材の前記底板に直交する方向の長さは、前記側板支持部材の前記底板に直交する方向の長さよりも小さい、請求項１〜４のいずれか１項に記載の金具類及び金釘無し組立式棺。
【考案の詳細な説明】
【技術分野】
【０００１】
本考案は、金具類及び金釘無し組立式棺に関する。
【背景技術】
【０００２】
従来、遺体を納め火葬に付する棺は、主構造を木製とし可燃性材料によって箱体が製造されている。一般に、直方体に形成された棺は、２枚の側板、２枚の妻板、底板及び蓋板で構成されている。また、蓋板には、ご遺体を拝顔するための扉が設けられている。この扉は、例えば、観音開き扉（両開き扉）として構成されている。
【０００３】
従来、側板と妻板との接合部、底板と、側板又は妻板との接合部は、金釘やタッカー針などの金具類及び金釘等により固定されていた。また、蓋板には、金属製の蝶番により、ご遺体を拝顔するための扉が回動可能に固定されていた。このため、１本当たりの棺に使用される金属類及び金釘等は、金釘が４５本〜６０本、タッカー針が４５本〜５０本、ピンタッカーが８本〜１２本、飾り金具が６個〜１０個で、全体の平均重量は、１５０ｇ〜１７０ｇ程度にもなる。また、年間葬儀施行数を１３０万件とすると、火葬による年間の金属類及び金釘等の廃棄量は、１９５ｔ〜２２１ｔにもなる。
【０００４】
また、考案者は、全国１５０カ所以上の市役所と火葬場の訪問を重ねたところ、火葬場に於ける二酸化炭素、ダイオキシン群類の排出に関係する、納棺時の副葬品、ドライアイス、棺に使用される金属類及び金釘の火葬後の処理問題、火葬炉の損傷等の問題が共通していることが判明した。
【０００５】
さらに、火葬炉の内部を直視し、火葬中に金釘等が肉体や遺骨に刺さる悲惨な状況や火葬後に残る無数の金属類を目にして強く心を痛めた。火葬後に残った金属類は処理業者によって仕分け整理される。火葬場は金属類による配管の損傷にも大きな問題を抱えていた。
【０００６】
上述のように、多量の金具類及び金釘等の存在により、棺の火葬燃焼時に、金具類及び金釘等が飛散し、遺体や遺骨を傷つけることが遺体の尊厳上、問題となっている。また、火葬後に現場スタッフによる金具類及び金釘等を回収する手間が発生したり、最終的に残った灰などに金属類や金釘等が混ざり吸引パイプで吸い上げるときにパイプを傷つけメンテナンス等で時間と費用を要し、使用できない炉が生じたりするという問題もあった。
【０００７】
また、一般に、棺の製造において金具類及び金釘を用いた場合、棺の燃焼において、有害物質（例：ダイオキシン又は二酸化炭素）が発生する。この有害物質の発生は、火葬場を管轄する役所又は火葬場の現場担当者にとって解決すべき重要な課題となっている。
【０００８】
以上により、棺の製造時には、金具類及び金釘等をできるだけ使用しないことが好ましい。本考案の考案者は、土葬から火葬に代わり長い年月が経っているのにも関わらず、なぜ上記のような悲惨な事実が知られていないのかという多くの疑問を覚え、この実態を知ったからには何とかしなくてはいけないと考えた。そして、本考案の考案者は、環境改善をはじめ火葬業務の合理化とご遺体の尊厳や御霊の尊厳を守るため、従来型の棺の調査と金具類及び金釘を使わない棺の開発をはじめた。例えば、本考案の考案者による特許文献１には、底板と、２つの側壁部と、２つの妻壁部と、底板と側壁部とを機械的に接合する可燃性素材の複数の釘部材と、底板と妻壁部とを機械的に接合する可燃性素材の複数の釘部材とを含む、棺が開示されている。
【先行技術文献】
【特許文献】
【０００９】
【特許文献１】特許第６９１１２１８号公報
【考案の概要】
【考案が解決しようとする課題】
【００１０】
ここで、上記特許文献１に記載の金具類及び金釘無し棺が組み立てられた状態で、ユーザに納品される場合、組み立てられた状態の棺を保管するためユーザの施設内のスペースを確保する必要がある。
【００１１】
本考案の一態様は、上記の問題点に鑑みてなされたものであり、その目的は、棺を保管するためのスペースを小さくすることが可能な金具類及び金釘無し組立式棺を実現することにある。
【課題を解決するための手段】
【００１２】
上記の目的を達成するために、本考案の考案者は、実際に本考案の金具類及び金釘無し組立式棺を何度も試作を繰返して上記課題を解決した。すなわち、本考案の考案者は、鋭意研究の末、本考案の一態様に係る金具類及び金釘無し組立式棺として、
全ての構成要素が可燃性素材で形成されている金具類及び金釘無し組立式棺であって、
底板と、
前記底板の縁部分の一部に配置された一対の側板支持部材と、
蝶番を介して前記一対の側板支持部材のそれぞれに固定された一対の側板部であって、当該蝶番により前記一対の側板部の各々が内側に向かって折り畳み可能に構成された一対の側板部と、
平面視で前記側板部に直交して配置されている一対の妻板部であって、前記一対の側板部の内側面に着脱可能に係合する一対の妻板部と、
前記一対の側板部及び前記一対の妻板部の上に配置される蓋板と、を備え、
前記蝶番は、プラスチック材料からなる、金具類及び金釘無し組立式棺を想到した。
【考案の効果】
【００１３】
本考案によれば、一対の側板部を折り畳んだ状態で、かつ、一対の妻板部を一対の側板から外した状態で、ユーザに納品することができる。これにより、棺を保管するために確保する必要のあるスペースを小さくすることができる。そして、ユーザは、棺を使用する際には、折り畳まれた一対の側板部を底板部に対して立ち上げ、一対の妻板部を、一対の側板部の内側面に取り付け、蓋板を一対の側板部及び一対の妻板部の上に載せれば、金具類及び金釘無しの棺を容易に組み立てることができる。
【図面の簡単な説明】
【００１４】
【図１】図１は、一実施形態による棺１００の外観を示す斜視図である。
【図２】図２は、底板１０と側板支持部材１１ａ及び１１ｂと妻板支持部材１２ａ及び１２ｂの斜視図である。
【図３】図３は、棺１００が組み立てられた後の状態の構成を模式的に示す短手方向に沿った断面図である。
【図４】図４は、棺１００が組み立てられる前の状態の構成を模式的に示す短手方向に沿った断面図である。
【図５】図５は、棺１００の構成を模式的に示す長手方向に沿った断面図である。
【図６】図６は、側板部２０ａの内部の構成を示す断面図である。
【図７】図７は、側板部２０ａの一部の構成をＸ２方向に見た図である。
【図８】図８は、側板部２０ｂの一部の構成をＸ２方向に見た図である。
【図９】図９は、プラスチック蝶番５０ａ及び係合部材６０の構成を説明するための斜視図である。
【図１０】図１０は、側板部２０ａ及び２０ｂと、妻板部３０ａ及び３０ｂとの係合について説明するための断面図である。
【図１１】図１１は、妻板部３０ａの溝部３１の構成を説明するための側面図である。
【図１２Ａ】図１２Ａは、係合部材６０の構成を示す断面図である。
【図１２Ｂ】図１２Ｂは、妻板部３０ａの一部を示す断面図である。
【図１３】図１３は、棺１００の組み立て中の状態において、側板部２０ａ及び２０ｂが立ち上げられた状態を説明するための図である。
【図１４】図１４は、棺１００の組み立て中の状態において、妻板部３０ａ及び３０ｂが配置される前の状態を説明するための図である。
【考案を実施するための形態】
【００１５】
以下、図面を参照し、本考案の一実施形態を詳しく説明する。図中同一又は相当部分には同一符号を付してその説明は繰り返さない。なお、図示した構成における各部材の寸法及び部材間の寸法比率は、実際の寸法及び寸法比率を表すものではない。
【００１６】
［金具類及び金釘無し組立式棺の全体構造］
図１は、棺１００の外観を示す斜視図である。図２は、底板１０と側板支持部材１１ａ及び１１ｂと妻板支持部材１２ａ及び１２ｂの斜視図である。図３は、棺１００が組み立てられた後の状態の構成を模式的に示す短手方向に沿った断面図である。図４は、棺１００が組み立てられる前の状態の構成を模式的に示す短手方向に沿った断面図である。図５は、棺１００の構成を模式的に示す長手方向に沿った断面図である。単に「長手方向」と記載した場合、平面視で矩形状の棺１００の長手方向を意味するものとし、「短手方向」と記載した場合、棺１００の短手方向を意味するものとする。
【００１７】
ここで、本実施形態の棺１００は、全ての構成要素が可燃性素材で形成されている。可燃性素材は、特に限定されないが、例えば、木材、及びプラスチック材である。可燃性素材としては、上記の他、可燃性の非金属材料や、可燃性のガラス材料（例えば、グラスファイバーなど）なども含まれる。また、留め具の材料としては、上記の素材の他、貝殻のように石灰質からなる可燃性素材を使用することができる。また、留め具は、木ダボであってもよく、プラスチック釘、プラスチックタッカー、木釘、竹釘、ポリマー樹脂製ステープル・ピンネルであってもよい。
【００１８】
また、本実施形態の棺１００は、組立式の棺であり、棺１００は、ユーザが工具を使用せずに組み立てられるように構成されている。具体的には、棺１００を搬送する場合、及び棺１００を保管する場合は、図４に示すように、棺１００は、側板部２０ａ及び２０ｂが底板１０に対して棺１００の内側に向かって折り畳まれた状態で、かつ、妻板部３０ａ及び３０ｂ（図１参照）が側板部２０ａ及び２０ｂから取り外された状態である。そして、棺１００にご遺体を配置する場合には、図３に示すように、側板部２０ａ及び２０ｂが底板１０に対して垂直な方向（Ｚ１方向）に立ち上げられ、図５に示すように、妻板部３０ａ及び３０ｂの各々が側板部２０ａ及び２０ｂに対して取り付けられ、蓋板４０が配置される。
【００１９】
図１に示すように、棺１００は、直方体に構成されており、底板１０と、棺１００の長辺側の側面を構成する一対の側板部２０ａ及び２０ｂと、棺１００の短辺側の側面を構成する一対の妻板部３０ａ及び３０ｂと、蓋板４０とを備える。蓋板４０は、蓋板４０の拝顔窓に配置された扉４１を含む。この扉４１は、両開き（観音開き）するように構成されていてもよいし、スライド移動して拝顔窓が開閉されるように構成されていてもよい。
【００２０】
底板１０、側板部２０ａ及び２０ｂ、妻板部３０ａ及び３０ｂ、及び蓋板４０のそれぞれの素材としては、例えば、桐材、檜材、樅材等の可燃性素材が挙げられる。なお、図示を省略するが、側板部２０ａ及び２０ｂと、妻板部３０ａ及び３０ｂと、蓋板４０との各々の外面においては、外観を向上させるための装飾が施されていてもよい。
【００２１】
（底板、側板支持部材、及び妻板支持部材の構成）
図２に示すように、底板１０は、平面視で矩形状を有する。底板１０の４つの縁部分のうちの２つの長辺に沿った位置に、側板支持部材１１ａ及び１１ｂが配置されている。また、底板１０の４つの縁部分のうちの２つの短辺に沿った位置に、妻板支持部材１２ａ及び１２ｂが配置されている。側板支持部材１１ａ及び１１ｂ、妻板支持部材１２ａ及び１２ｂの各々は、底板１０に対して、留め具（例えば、木ダボ）又は接着剤により固定されている。また、側板支持部材１１ａ及び１１ｂは、それぞれ、底板１０の長手方向（Ｙ１及びＹ２方向）に延びる四角柱状を有する。また、妻板支持部材１２ａ及び１２ｂは、それぞれ、底板１０の短手方向（Ｘ１及びＸ２方向）に延びる四角柱状を有する。側板支持部材１１ａ及び１１ｂと、妻板支持部材１２ａ及び１２ｂとの各々は、角材により構成されている。「角材」とは、内部に空洞が形成されていない四角柱状を有する部材を意味する。
【００２２】
図３に示すように、側板支持部材１１ａは、側板部２０ａのうちの側板補強部材２１ａの下側（Ｚ２方向）において、当該側板補強部材２１ａに対向する位置に配置されている。また、側板支持部材１１ｂは、側板部２０ｂのうちの側板補強部材２１ｂの下側（Ｚ２方向）において、当該側板補強部材２１ｂに対向する位置に配置されている。また、側板支持部材１１ａの底板１０に対して直交する方向の長さＬ１は、側板支持部材１１ｂの底板１０に対して直交する方向の長さＬ２よりも大きい。これにより、図４に示すように、側板部２０ａ及び２０ｂが折り畳まれた状態で、側板部２０ｂの上に側板部２０ａが配置される状態になり、側板部２０ｂが側板部２０ａに干渉しない。
【００２３】
また、図５に示すように、妻板支持部材１２ａ及び１２ｂは、それぞれ、妻板部３０ａ及び３０ｂに対向する位置に配置されている。妻板支持部材１２ａ及び１２ｂの底板１０に対して直交する方向の長さは共に、Ｌ３である。長さＬ３は、側板支持部材１１ａの長さＬ１（図３参照）よりも小さく、側板支持部材１１ｂの長さＬ２（図３参照）よりも小さい。これにより、側板部２０ａ及び２０ｂが折り畳まれる際に、側板部２０ａ及び２０ｂと妻板支持部材１２ａ及び１２ｂとが干渉しない。
【００２４】
（側板部、プラスチック蝶番、及び妻板部の構成）
図３に示すように、側板部２０ａ及び２０ｂは、底板１０に対して垂直な方向に配置されている。側板部２０ａは、側板補強部材２１ａと、板部材２２ａ及び２３ａと、上部桟木２４ａと、下部桟木２５ａと、を含む。また、側板部２０ｂは、側板補強部材２１ｂと、板部材２２ｂ及び２３ｂと、上部桟木２４ｂと、下部桟木２５ｂと、を含む。
【００２５】
図３及び図４に示すように、側板補強部材２１ａは、プラスチック蝶番５０ａを介して側板支持部材１１ａに対して回動可能に固定されている。また、側板補強部材２１ｂは、プラスチック蝶番５０ｂを介して側板支持部材１１ｂに回動可能に固定されている。また、側板補強部材２１ａは、棺１００の内側面を構成する板部材２２ａに、接着剤又は木ダボ等の接合部材により固定されている。側板補強部材２１ｂは、棺１００の内側面を構成する板部材２２ｂに、接着剤又は木ダボ等の接合部材により固定されている。
【００２６】
また、図３に示すように、板部材２２ａ及び２３ａは、上部桟木２４ａ及び下部桟木２５ａを両側から挟むように配置されている。また、板部材２２ｂ及び２３ｂは、上部桟木２４ｂ及び下部桟木２５ｂを両側から挟むように配置されている。すなわち、側板部２０ａ及び２０ｂの内部は、それぞれ、空洞を含む。これにより、棺１００を軽量化することができる。また、下部桟木２５ａ及び２５ｂは、それぞれ、図３に示すように、棺１００が組み立てられた状態で、側板支持部材１１ａ及び１１ｂに接触し、図４に示すように、棺１００が組み立てられる前の状態で、側板支持部材１１ａ及び１１ｂから離れている。
【００２７】
図６は、側板部２０ａの内部の構成を示す断面図である。図７は、側板部２０ａの一部の構成をＸ２方向に見た図である。図８は、側板部２０ｂの一部の構成をＸ２方向に見た図である。図６に示すように、上部桟木２４ａ及び下部桟木２５ａは、底板１０の長手方向に沿って延びる。側板部２０ａは、上部桟木２４ａと下部桟木２５ａとの間に配置され、底板１０に対して垂直な方向に延びる複数の縦桟木２６ａを含む。複数の縦桟木２６ａは、底板１０の長手方向に所定の間隔を隔てて、配置されている。なお、図示を省略するが、側板部２０ｂにおいても、上部桟木２４ｂと下部桟木２５ｂとの間に配置された複数の縦桟木が設けられている。
【００２８】
また、図３に示すように、板部材２３ａは、側板支持部材１１ａのＸ２方向側（外側）を覆う。また、板部材２３ｂは、側板支持部材１１ｂのＸ１方向側（外側）を覆う。これにより、側板支持部材１１ａ及び１１ｂが外側に露出しないので、棺１００の意匠性が向上する。また、側板部２０ａは、板部材２３ａと側板支持部材１１ａとの間に配置された第１間桟木２７ａ及び第２間桟木２８ａを含む。また、側板部２０ｂは、板部材２３ｂと側板支持部材１１ｂとの間に配置された間桟木２７ｂを含む。
【００２９】
図７に示すように、第１間桟木２７ａ及び第２間桟木２８ａは、底板１０の長手方向に沿って延びている。側板部２０ａは、第１間桟木２７ａと第２間桟木２８ａとの間に配置された桟木２９ａを含む。図７では、桟木２９ａを１つのみ図示しているが、例えば、桟木２９ａは、底板１０の長手方向に等間隔で複数設けられている。
【００３０】
図８に示すように、間桟木２７ｂは、底板１０の長手方向に沿って延びている。側板部２０ｂは、下部桟木２５ｂ（図３参照）と間桟木２７ｂとの間に配置された桟木２９ｂを含む。図８では、桟木２９ｂを１つのみ図示しているが、例えば、桟木２９ｂは、底板１０の長手方向に等間隔で複数設けられている。
【００３１】
（プラスチック蝶番の構成）
図２に示すように、プラスチック蝶番５０ａは、側板支持部材１１ａから側板補強部材２１ａに亘って配置されている。また、プラスチック蝶番５０ａは、底板１０の長手方向に等間隔で複数設けられている。また、図３に示すように、プラスチック蝶番５０ｂは、側板支持部材１１ｂから側板補強部材２１ｂに亘って配置されている。図示を省略するが、プラスチック蝶番５０ｂは、底板１０の長手方向に等間隔で複数設けられている。プラスチック蝶番５０ｂは、プラスチック蝶番５０ａと同様の構成であるため、以下、プラスチック蝶番５０ａの構成を説明し、プラスチック蝶番５０ｂの説明を省略する。
【００３２】
図９は、プラスチック蝶番５０ａ及び係合部材６０の構成を説明するための斜視図である。図９に示すように、プラスチック蝶番５０ａは、側板支持部材１１ａに固定された羽根５１ａと、側板補強部材２１ａに固定された羽根５２ａと、羽根５１ａ及び５２ａを接続する接続部５３ａと、複数のプラスチック釘５４ａ及び５５ａとを含む。なお、図９では、プラスチック釘５４ａ及び５５ａの数を、それぞれ、３つ図示しているが、２つ以下でもよいし、４つ以上でもよい。図３に示すように、プラスチック釘５４ａは、羽根５１ａを貫通して、側板支持部材１１ａに亘って配置されており、羽根５１ａと側板支持部材１１ａとを固定する。また、プラスチック釘５５ａは、羽根５２ａを貫通して、側板補強部材２１ａに亘って配置されており、羽根５２ａと側板補強部材２１ａとを固定する。これにより、軽量化され側板部２０ａの板部材２２ａが薄い場合であっても、側板補強部材２１ａによってプラスチック蝶番５０ａとの接合強度を増大させることができる。なお、図３では、プラスチック釘５４ａは、側板部２０ａの下部桟木２５ａまで挿入されているが、側板補強部材２１ａの厚みが大きい場合には、側板補強部材２１ａのみに挿入されていてもよい。
【００３３】
接続部５３ａは、図４に示すように、屈曲することにより、羽根５２ａを羽根５１ａに対して棺１００の内側に向かって回動させる。これにより、側板部２０ａが、側板支持部材１１ａに対して棺１００の内側に向かって回動する。
【００３４】
図１０は、側板部２０ａ及び２０ｂと、妻板部３０ａ及び３０ｂとの係合について説明するための断面図である。図１１は、妻板部３０ａの溝部３１の構成を説明するための側面図である。図１２Ａは、係合部材６０の構成を示す断面図である。図１２Ｂは、妻板部３０ａの一部を示す断面図である。図１０に示すように、側板部２０ａ及び２０ｂは、それぞれ、妻板部３０ａ及び３０ｂと係合する係合部材６０を含む。
【００３５】
図１０に示すように、係合部材６０は、レール部材６１と角材６２とを含む。レール部材６１は、角材６２に固定されている。図９に示すように、底板１０に対して垂直に延び、図１０に示すように、妻板部３０ａに対向する位置に配置されている。また、図１１に示すように、妻板部３０ａには、底板１０に対して垂直に延びる溝部３１が形成されている。図１０に示すように、レール部材６１は、溝部３１に嵌る。これにより、妻板部３０ａは、レール部材６１に沿って、スライド移動することが可能である。この結果、妻板部３０ａを側板部２０ａに対して、スライド移動させて着脱することができる。また、角材６２にレール部材６１が固定されているので、側板部２０ａが軽量化されている場合でも、レール部材６１の強度を増大させることができる。
【００３６】
また、図１２Ａに示すように、レール部材６１のうちの溝部３１側の部分（先端部分６１ａ）の幅Ｗ１は、レール部材６１のうちの根元部分６１ｂの幅Ｗ２よりも大きい。また、図１２Ｂに示すように、溝部３１のうちの底部分３１ａの幅Ｗ１ａは、溝部３１のうちのレール部材６１側の部分３１ｂの幅Ｗ２ａよりも大きい。これにより、側板部２０ａと妻板部３０ａとが、底板１０に平行な方向において固定される。側板部２０ａ及び妻板部３０ａと同様に、側板部２０ａ及び妻板部３０ｂと、側板部２０ｂ及び妻板部３０ａと、側板部２０ｂ及び妻板部３０ｂとは、底板１０に平行な方向において固定されている。これにより、レール部材６１から溝部３１が抜けにくくなる。
【００３７】
また、図１０に示すように、側板部２０ａの板部材２３ａは、角材６２の外側を覆う。そして、板部材２３ａと角材６２との間に、部材６３が配置されている。
【００３８】
上記の構成によれば、側板部２０ａ及び２０ｂを折り畳んだ状態で、かつ、妻板部３０ａ及び３０ｂを側板部２０ａ及び２０ｂから外した状態で、ユーザに納品することができる。これにより、棺１００を保管するために確保する必要のあるユーザの施設内におけるスペースを小さくすることができる。また、棺１００の輸送コストを低減することができる。そして、ユーザは、棺１００を使用する際には、折り畳まれた側板部２０ａ及び２０ｂを底板１０に対して立ち上げ、妻板部３０ａ及び３０ｂを、側板部２０ａ及び２０ｂの内側面に取り付け、蓋板４０を側板部２０ａ及び２０ｂ及び妻板部３０ａ及び３０ｂの上に載せれば、金具類及び金釘無しの棺１００を容易に組み立てることができる。
【００３９】
（棺の組み立て方法）
次に、本実施形態による棺１００の組み立て方法について説明する。図１３は、棺１００の組み立て中の状態において、側板部２０ａ及び２０ｂが立ち上げられた状態を説明するための図である。図１４は、棺１００の組み立て中の状態において、妻板部３０ａ及び３０ｂが配置される前の状態を説明するための図である。
【００４０】
まず、図４に示すように、底板１０と、底板１０に固定され、折り畳まれた状態の側板部２０ａ及び２０ｂが準備される。そして、図１３に示すように、側板部２０ａ及び２０ｂが、それぞれ、底板１０に対して、垂直な方向に立ち上げられる。この時、下部桟木２５ａ、第１間桟木２７ａ及び第２間桟木２８ａと、側板支持部材１１ａとが当接するので、側板部２０ａが垂直な方向よりも外側には倒れない。また、下部桟木２５ｂ、及び間桟木２７ｂと、側板支持部材１１ｂとが当接するので、側板部２０ｂが垂直な方向よりも外側には倒れない。
【００４１】
そして、図１０及び図１４に示すように、妻板部３０ａ及び３０ｂが、側板部２０ａ及び２０ｂの間に、レール部材６１を介してスライド移動して配置される。その後、蓋板４０が、妻板部３０ａ及び３０ｂと、側板部２０ａ及び２０ｂとの上に載置される。これにより、棺１００の組み立てが完了する。
【００４２】
上記のように、ユーザは、工具を用いることなく、金具類及び金釘無しの棺１００を容易に組み立てることができる。
【００４３】
［変形例］
以上、上述した実施の形態は本考案を実施するための例示に過ぎない。よって、本考案は、上述した実施の形態に限定されることなく、その趣旨を逸脱しない範囲内で上述した実施の形態を適宜変形して実施することが可能である。
【００４４】
（１）例えば、上記実施形態では、プラスチック蝶番を、側板補強部材に固定する例を示したが、本開示はこれに限られない。例えば、プラスチック蝶番を、側板部の側板補強部材以外の部分（板部材又は桟木のみ）に固定してもよい。
【００４５】
（２）また、上記実施形態では、側板部に、２つ板部材と桟木とを設ける例を示したが、本開示はこれに限られない。例えば、側板部全体を１枚の板部材から構成してもよい。
【００４６】
（３）また、上記実施形態では、レール部材を側板部に配置する例を示したが、本開示はこれに限られない。例えば、レール部材を妻板部に配置してもよい。この場合、側板部にレール部材が係合する溝部が設けられる。
【００４７】
（４）また、上記実施形態では、レール部材の根元部分の幅よりも先端部分の幅を大きくする例を示したが、本開示はこれに限られない。レール部材の根元部分の幅を先端部分の幅以下の大きさに構成してもよい。
【００４８】
（５）また、上記実施形態では、妻板部を、側板部と係合させることにより、妻板部と側板部とを組み合わせる例を示したが、本開示はこれに限られない。例えば、妻板部も、側板部と同様に、底板に固定された妻板支持部材にプラスチック蝶番を介して固定されていてもよい。
【００４９】
なお、本考案の金具類及び金釘無し組立式棺は、以下のように説明することもできる。
【００５０】
本考案の第１の構成に係る金具類及び金釘無し組立式棺は、全ての構成要素が可燃性素材で形成されている金具類及び金釘無し組立式棺であって、底板と、底板の縁部分の一部に配置された一対の側板支持部材と、蝶番を介して一対の側板支持部材のそれぞれに固定された一対の側板部であって、当該蝶番により一対の側板部の各々が内側に向かって折り畳み可能に構成された一対の側板部と、平面視で側板部に直交して配置されている一対の妻板部であって、一対の側板部の内側面に着脱可能に係合する一対の妻板部と、一対の側板部及び一対の妻板部の上に配置される蓋板と、を備え、蝶番は、プラスチック材料からなる（第１の構成）。
【００５１】
上記第１の構成によれば、一対の側板部を折り畳んだ状態で、かつ、一対の妻板部を一対の側板から外した状態で、ユーザに納品することができる。これにより、棺を保管するために確保する必要のあるスペースを小さくすることができる。そして、ユーザは、棺を使用する際には、折り畳まれた一対の側板部を底板部に対して立ち上げ、一対の妻板部を、一対の側板部の内側面に取り付け、蓋板を一対の側板部及び一対の妻板部の上に載せれば、金具類及び金釘無しの棺を容易に組み立てることができる。
【００５２】
第１の構成において、側板部は、桟木と、桟木を両側から挟む２つの板部材と、２つの板部材うちの内側の板部材の面又は桟木に固定された側板補強部材と、を含んでもよく、蝶番は、側板支持部材に固定された第１羽根と、側板補強部材に固定された第２羽根と、第１羽根と第２羽根との接続部であって、第１羽根に対して第２羽根を回動させる接続部と、を含んでもよい（第２の構成）。
【００５３】
上記第２の構成によれば、側板部の内部に空洞を形成することができるので、側板部を軽量化することができる。そして、側板補強部材に蝶番の第２羽根が固定されるので、軽量化され側板部の板部材が薄い場合であっても、側板補強部材によって蝶番との接合強度を増大させることができる。
【００５４】
第２の構成において、側板部は、さらに、一対の妻板部のいずれか一方に対向する位置に配置されたレール部材と、レール部材が固定された角材と、を含んでもよく、一対の妻板部のいずれか一方は、レール部材に沿った溝部であって、当該レール部材に嵌る溝部を含んでもよい（第３の構成）。
【００５５】
上記第３の構成によれば、レール部材と溝部とにより、妻板部を側板部に対して、スライド移動させて取り付けることができる。また、角材にレール部材が固定されているので、側板部が軽量化されている場合でも、レール部材の強度を増大させることができる。
【００５６】
第３の構成において、レール部材のうちの溝部側の部分の幅は、レール部材のうちの根元部分の幅よりも大きく、溝部のうちの底部分の幅は、溝部のうちのレール部材側の部分の幅よりも大きく構成されてもよい（第４の構成）。
【００５７】
上記第４の構成によれば、レール部材から溝部が抜けにくくなる。
【００５８】
第１〜第４のいずれか１つの構成において、底板の縁部分のうちの一対の妻板部のいずれかに対向する位置に配置された妻板支持部材を、さらに備えてもよく、妻板支持部材の底板に直交する方向の長さは、側板支持部材の底板に直交する方向の長さよりも小さく構成されてもよい（第５の構成）。
【００５９】
上記第５の構成によれば、妻板支持部材により妻板部を指示することができるとともに、妻板支持部材を設ける場合でも、妻板支持部材と側板支持部材とが干渉するのを防止することができる。
【符号の説明】
【００６０】
１０…底板、１１ａ，１１ｂ…側板支持部材、１２ａ，１２ｂ…妻板支持部材、２０ａ，２０ｂ…側板部、２１ａ，２１ｂ…側板補強部材、２２ａ，２２ｂ，２３ａ，２３ｂ…板部材、２４ａ，２４ｂ…上部桟木、２５ａ，２５ｂ…下部桟木、２６ａ…縦桟木、２７ａ…第１間桟木、２７ｂ…間桟木、２８ａ…第２間桟木、２９ａ，２９ｂ…桟木、３０ａ，３０ｂ…妻板部、３１…溝部、３１ａ…底部分、３１ｂ…部分、４０…蓋板、５０ａ，５０ｂ…プラスチック蝶番、５１ａ…羽根、５２ａ…羽根、５３ａ…接続部、５４ａ，５５ａ…プラスチック釘、５５ａ…プラスチック釘、６０…係合部材、６１…レール部材、６１ａ…先端部分、６１ｂ…根元部分、６２…角材、１００…棺
【図１】
0003235376.tif 000003
【図２】
0003235376.tif 000004
【図３】
0003235376.tif 000005
【図４】
0003235376.tif 000006
【図５】
0003235376.tif 000007
【図６】
0003235376.tif 000008
【図７】
0003235376.tif 000009
【図８】
0003235376.tif 000010
【図９】
0003235376.tif 000011
【図１０】
0003235376.tif 000012
【図１１】
0003235376.tif 000013
【図１２Ａ】
0003235376.tif 000014
【図１２Ｂ】
0003235376.tif 000015
【図１３】
0003235376.tif 000016
【図１４】
0003235376.tif 000017